(57)【要約】      （修正有）【課題】自動車用ジャッキ台座を安定的に十字形台座と角形台座を備えたタイヤを交換時にジャッキアップ状態で各台座の面積が広い為に風に煽られても車体が脱落しない、又、地盤が軟弱の場合でも十字形台座と角形台座は従来のパンタグラフ形台座よりも面積が広い為に地面にめり込まないので不便と不安と不安全を解消し安心で安全第一である有する自動車用ジャッキ十字形台座装置及びＩ字形台座、角形台座を提供する。【解決手段】略長方形のブロック体１ａの長手方向の中央部に、ブロック体の短辺に平行な溝を形成する。パンタグラフ形３をした自動車用ジャッキのパンタグラフの伸縮面と同じ方向に形成されているパンタグラフの台座１を側面から挟み込む形で上記溝に挿入し、該パンタグラフの台座１と該ブロック１ａを直交させて自動車用ジャッキを構成する。【選択図】図１
0003169071.tif 000002
【実用新案登録請求の範囲】
【請求項１】
自動車用ジャッキのパンタグラフ形を十字形台座に取り付けたことを特徴とする自動車用ジャッキ十字形台座装置。
【請求項２】
自動車用ジャッキのパンタグラフ形の台座を間に挟んで取り付け可能な、自動車用ジャッキ十字形台座装置用のＩ字形台座。
【請求項３】
自動車用ジャッキのパンタグラフ形の台座を間に挟んで取り付け可能な、自動車用ジャッキ十字形台座装置用の角形台座。
【考案の詳細な説明】
【技術分野】
【０００１】  本考案は自動車用ジャッキと車体の脱落防止に関する自動車用ジャッキ十字形台座装置及びＩ字形台座、角形台座に関わるものである。
【背景技術】
【０００２】  従来の自動車用ジャッキの台座が長方形で台座の底面不足の為にタイヤを交換の際に風に煽られ車体が脱落し不便と不安と不安全である。
【先行技術文献】
【特許文献】
【０００３】
【特許文献１】特許公開平９−１９４１９５号公報
【特許文献２】特許公開平５−１１６８９４号公報
【考案の概要】
【考案が解決しようとする課題】
【０００４】  しかし、これでは車の走る方向に対し自動車用ジャッキと自動車用ジャッキ装置の台座が縦向きに備え台座の底面不足の為に風に煽られ車体が脱落し不便と不安と不安全を生じるのである。
【課題を解決するための手段】
【０００５】  自動車用ジャッキのパンタグラフ形を十字形台座に取り付けた。【０００６】  自動車用ジャッキのパンタグラフ形の台座を間に挟んで取り付け可能な、自動車用ジャッキ十字形台座装置用のＩ字形台座を備えた。【０００７】  自動車用ジャッキのパンタグラフ形の台座を間に挟んで取り付け可能な、自動車用ジャッキ十字形台座装置用の角形台座を備えた。
【考案の効果】
【０００８】  自動車用ジャッキ台座を安定的に十字形台座と角形台座を備えたタイヤを交換時にジャッキアップの状態で各台座の面積が広い為に風が吹いても風に煽られても車体が脱落をしない又、地盤の軟弱の場合でも十字形台座と角形台座は従来のパンタグラフ形台座よりも面積が広い為に地面にめり込まない。
【図面の簡単な説明】
【０００９】
【図１】  本考案に係わる自動車用ジャッキ十字形台座装置のジャッキアップ状態の斜視図である。
【図２】  本考案に係わるＩ字形台座の斜視図である。
【図３】  本考案に係わる角形台座の斜視図である。
【図４】  本考案に係わるＩ字形台座の裏面に凹凸滑り止めを備えた。
【図５】  本考案に係わる角形台座の裏面に凹凸滑り止めを備えた。
【図６】  本考案に係わる自動車用ジャッキ十字形台座装置の十字形台座と角形台座の取り付け平面図である。
【図７】  特許公開平９−１９４１９５号公報に記載の自動車用ジャッキの選択図６の斜視図である。
【図８】  特許公開平５−１１６８９４号公報に記載の自動車用ジャッキ装置の選択図２の平面図である。
【考案を実施するための形態】
【００１０】  本考案に係わる自動車用ジャッキ十字形台座装置及びＩ字形台座、角形台座は図１，２，３，４，５，６に示すようにパンタグラフ形３の台座１，１ａ，１ｂを取り付け十字形台座に備えた。
【００１１】  Ｉ字形台座６の間８に自動車用ジャッキのパンタグラフ形３の台座１をパンタグラフ形台座の支持具７，７ａの間８に挟むに備えた。
【００１２】  角形台座１０の間８ａに自動車用ジャッキのパンタグラフ形３の台座１をパンタグラフ形台座の支持具７ｂ，７ｃの間８ａに挟むに備えた。
【符号の説明】
【００１３】    １  台座
１ａ  台座
１ｂ  台座
２  パンタグラフ形を上下に動かすネジ棒
３  パンタグラフ形
４  車体載せ台
５  パンタグラフ形を上下に動かすための穴
６  Ｉ字形台座（硬質樹脂系等）
７  パンタグラフ形台座の支持具
７ａ  パンタグラフ形台座の支持具
７ｂ  パンタグラフ形台座の支持具
７ｃ  パンタグラフ形台座の支持具
８  間
８ａ  間
９  滑り止め穴
９ａ  滑り止め穴
９ｂ  滑り止め穴
９ｃ  滑り止め穴
９ｄ  滑り止め穴
９ｅ  滑り止め穴
１０  角形板（硬質樹脂系等）
１１  凹凸滑り止め
１１ａ  凹凸滑り止め
１２  車体
１３  前側
１４  ハンドル
１５  十字形台座
【図１】
0003169071.tif 000003
【図２】
0003169071.tif 000004
【図３】
0003169071.tif 000005
【図４】
0003169071.tif 000006
【図５】
0003169071.tif 000007
【図６】
0003169071.tif 000008
【図７】
0003169071.tif 000009
【図８】
0003169071.tif 000010
【手続補正書】
【提出日】平成23年4月13日(2011.4.13)
【手続補正１】
【補正対象書類名】実用新案登録請求の範囲
【補正対象項目名】全文
【補正方法】変更
【補正の内容】
【実用新案登録請求の範囲】
【請求項１】
自動車用ジャッキのパンタグラフ形部材を十字形台座に取り付けたことを特徴とする自動車用ジャッキ十字形台座装置。
【請求項２】
自動車用ジャッキのパンタグラフ形部材の台座を溝に挟んで取り付け可能な、前記台座の幅の溝を有する自動車用ジャッキ十字形台座装置のＩ字形台座。
【請求項３】
自動車用ジャッキのパンタグラフ形部材の台座を溝に挟んで取り付け可能な、前記台座の幅の溝を有する自動車用ジャッキ十字形台座装置の角形台座。
【手続補正２】
【補正対象書類名】明細書
【補正対象項目名】００１０
【補正方法】変更
【補正の内容】
【００１０】  本考案に係わる自動車用ジャッキ十字形台座装置及びＩ字形台座、角型台座は図１，２，３，４，５，６に示すようにパンタグラフ形部材３の台座１，１ａ，１ｂを取り付け十字形台座に備えた。
【手続補正３】
【補正対象書類名】明細書
【補正対象項目名】００１１
【補正方法】変更
【補正の内容】
【００１１】  Ｉ字形台座６の溝８に自動車用ジャッキのパンタグラフ形部材３の台座１をパンタグラフ形部材３台座１の支持具７，７ａの溝８に挟むに備えた。
【手続補正４】
【補正対象書類名】明細書
【補正対象項目名】００１２
【補正方法】変更
【補正の内容】
【００１２】  角型台座１０の溝８ａに自動車用ジャッキのパンタグラフ形部材３の台座１をパンタグラフ形部材３台座１の支持具７ｂ，７ｃの溝８ａに挟むに備えた。
【手続補正５】
【補正対象書類名】明細書
【補正対象項目名】００１３
【補正方法】変更
【補正の内容】
【００１３】    １  台座
１ａ  台座
１ｂ  台座
２  パンタグラフ形部材を上下に動かすネジ棒
３  パンタグラフ形部材
４  車体載せ台
５  パンタグラフ形部材を上下に動かす為の穴
６  Ｉ字形台座（硬質樹脂系等）
７  パンタグラフ形部材台座の支持具
７ａ  パンタグラフ形部材台座の支持具
７ｂ  パンタグラフ形部材台座の支持具
７ｃ  パンタグラフ形部材台座の支持具
８  溝
８ａ  溝
９  滑り止め穴
９ａ  滑り止め穴
９ｂ  滑り止め穴
９ｃ  滑り止め穴
９ｄ  滑り止め穴
９ｅ  滑り止め穴
１０  角形板（硬質樹脂系等）
１１  凹凸滑り止め
１１ａ  凹凸滑り止め
１２  車体
１３  前側
１４  ハンドル
１５  十字形台座